(57)【要約】【課題】印刷ジョブ送信装置からの一つの印刷ジョブの送信により、印刷装置のデフォルト設定操作とテストプリントとを同時に実行することの可能な印刷システムを提供する。【解決手段】プリンタは、プリントジョブを受信すると（Ｓ２０１のＹＥＳ）、ヘッダ部を解析してデフォルト設定プリントであるか否かを判断し（Ｓ２０３）、デフォルト設定プリントである場合には（Ｓ２０４のＹＥＳ）、コマンド部からデフォルト設定を取得して（Ｓ２０５）、デフォルト設定を更新する（Ｓ２０６）。そして、更新したデフォルト設定の内容を印刷するとともに（Ｓ２０８）、更新したデフォルト設定に従ってプリントジョブに含まれるテストプリントデータを印刷する（Ｓ２１０）。【選択図】            図８
2004358911.tif 000002
【特許請求の範囲】
【請求項１】
印刷ジョブを受信する印刷ジョブ受信手段と、
前記印刷ジョブに含まれるコマンドを解析するコマンド解析手段と、
前記コマンドがデフォルト設定変更コマンドである場合に前記デフォルト設定変更コマンドに基づいてデフォルト設定を変更するデフォルト設定変更手段と、
前記印刷ジョブに含まれる印刷データを印刷する印刷手段と、
を有することを特徴とする印刷装置。
【請求項２】
前記印刷手段は、前記デフォルト設定変更手段により変更されたデフォルト設定に従って前記印刷データを印刷することを特徴とする請求項１に記載の印刷装置。
【請求項３】
前記印刷手段は、前記デフォルト設定変更手段により変更されたデフォルト設定の内容を印刷することを特徴とする請求項１または２に記載の印刷装置。
【請求項４】
印刷装置のデフォルト設定を入力するデフォルト設定入力手段と、
前記印刷装置のデフォルト設定を前記デフォルト設定入力手段により入力されたデフォルト設定に変更するデフォルト設定変更コマンドを含む印刷ジョブを作成する印刷ジョブ作成手段と、
前記印刷装置に前記印刷ジョブを送信する印刷ジョブ送信手段と、
を有することを特徴とする印刷ジョブ送信装置。
【請求項５】
印刷ジョブを受信する印刷ジョブ受信ステップと、
前記印刷ジョブに含まれるコマンドを解析するコマンド解析ステップと、
前記コマンドがデフォルト設定変更コマンドである場合に前記デフォルト設定変更コマンドに基づいてデフォルト設定を変更するデフォルト設定変更ステップと、
前記印刷ジョブに含まれる印刷データを印刷する印刷ステップと、
を有することを特徴とする印刷方法。
【発明の詳細な説明】
【０００１】
【発明の属する技術分野】
本発明は、印刷ジョブ送信装置および印刷装置を含む印刷システムに関する。詳しくは、印刷ジョブ送信装置からの印刷ジョブの送信により、印刷装置のデフォルト設定操作とテストプリントとを実行することができる印刷システムに関する。
【０００２】
【従来の技術】
プリンタ等の印刷装置は、通常工場出荷時の検査等において、デフォルト設定とテストプリントとが実施される。デフォルト設定は、プリンタのオペレーションパネルまたはパソコン等の専用アプリケーションからの設定操作により行われ、テストプリントは、パソコン等からのテストプリントデータの送信により行われる。
【０００３】
ところで、プリンタがＯＥＭ供給されていたり複数国に輸出されていたりする場合は、ＯＥＭ供給先または輸出国ごとに仕向け設定を行う必要があり、デフォルト設定の内容を変えなければならない。したがって、同機種のプリンタに対して複数のデフォルト設定が存在することになり、前記検査等における作業効率が悪く、人為的ミスによりデフォルト設定間違いが発生する等の問題があった。
【０００４】
一方、受信した印刷ジョブに含まれる印刷データの制御コードがデフォルト設定と同一でない場合に自動的に当該制御コードに適した印刷制御プログラムに切り替えて印刷処理を行い、処理後デフォルト設定の印刷制御プログラムに復帰するプリンタが知られている（特許文献１参照）。しかし、パソコン等からの一つの印刷ジョブの送信により、プリンタの各種ハードウエア設定のデフォルト設定操作とテストプリントとを同時に実行する印刷システムについては知られていない。
【０００５】
【特許文献１】
特開平６−２４７０１２号公報
【０００６】
【発明が解決しようとする課題】
本発明は上記従来技術の有する問題点に鑑みなされたものであり、その目的とするところは、印刷ジョブ送信装置からの一つの印刷ジョブの送信により、印刷装置のデフォルト設定操作とテストプリントとを同時に実行することができる印刷システムを提供することにある。
【０００７】
本発明の他の目的は、印刷ジョブ送信装置からの一つの印刷ジョブの送信により、印刷装置のデフォルト設定操作と操作後のデフォルト設定の内容確認とを同時に実行することができる印刷システムを提供することにある。
【０００８】
【課題を解決するための手段】
本発明の上記目的は、下記の手段によって達成される。
【０００９】
（１）  印刷ジョブを受信する印刷ジョブ受信手段と、
前記印刷ジョブに含まれるコマンドを解析するコマンド解析手段と、
前記コマンドがデフォルト設定変更コマンドである場合に前記デフォルト設定変更コマンドに基づいてデフォルト設定を変更するデフォルト設定変更手段と、
前記印刷ジョブに含まれる印刷データを印刷する印刷手段と、
を有することを特徴とする印刷装置。
【００１０】
（２）  前記印刷手段は、前記デフォルト設定変更手段により変更されたデフォルト設定に従って前記印刷データを印刷することを特徴とする（１）に記載の印刷装置。
【００１１】
（３）  前記印刷手段は、前記デフォルト設定変更手段により変更されたデフォルト設定の内容を印刷することを特徴とする（１）または（２）に記載の印刷装置。
【００１２】
（４）  印刷装置のデフォルト設定を入力するデフォルト設定入力手段と、
前記印刷装置のデフォルト設定を前記デフォルト設定入力手段により入力されたデフォルト設定に変更するデフォルト設定変更コマンドを含む印刷ジョブを作成する印刷ジョブ作成手段と、
前記印刷装置に前記印刷ジョブを送信する印刷ジョブ送信手段と、
を有することを特徴とする印刷ジョブ送信装置。
【００１３】
（５）  印刷ジョブを受信する印刷ジョブ受信ステップと、
前記印刷ジョブに含まれるコマンドを解析するコマンド解析ステップと、
前記コマンドがデフォルト設定変更コマンドである場合に前記デフォルト設定変更コマンドに基づいてデフォルト設定を変更するデフォルト設定変更ステップと、
前記印刷ジョブに含まれる印刷データを印刷する印刷ステップと、
を有することを特徴とする印刷方法。
【００１４】
【発明の実施の形態】
以下、本発明の実施の形態を、図面を参照して詳細に説明する。
【００１５】
図１は、本発明の実施形態にかかる印刷データ送信装置および印刷装置が適用された印刷システムの全体構成を示すブロック図である。図１に示すように、本実施形態にかかる印刷システムは、印刷データ送信装置としてのパソコン１と、印刷装置としてのプリンタ２とを備え、これらはネットワーク３を介して相互に通信可能に接続されている。なお、ネットワーク３に接続される機器の種類および台数は、図１に示す例に限定されない。また、パソコン１とプリンタ２とは、ネットワーク３を介することなく直接機器間で接続（ローカル接続）されていてもよい。
【００１６】
つぎに、上記各機器の構成について説明するが、上記各機器は後述する構成要素以外の構成要素を含んでいてもよく、あるいは、後述する構成要素のうちの一部が含まれていなくてもよい。また、各機器で同様の機能を有する部分については、説明の重複を避けるため初回のみその説明を行い、２回目以降はその説明を省略する。
【００１７】
図２は、本実施形態にかかるパソコン１の構成を示すブロック図である。図２に示すように、パソコン１は、ＣＰＵ１１、ＲＯＭ１２、ＲＡＭ１３、ハードディスク１４、ディスプレイ１５、入力装置１６およびネットワークインタフェース１７を備えており、これらは信号をやり取りするためのバス１８を介して相互に接続されている。
【００１８】
ＣＰＵ１１は、プログラムにしたがって上記各部の制御や各種の演算処理等を行う。ＲＯＭ１２は、パソコン１の基本動作を制御するためのプログラムやパラメータを格納する。ＲＡＭ１３は、作業領域として一時的にプログラムやデータを記憶する。ハードディスク１４は、ＯＳ（オペレーティングシステム、基本ソフトウエア）や後述するパソコン１の所定の動作を制御するためのプログラムおよびパラメータ、ならびに印刷処理を行おうとする各種画像データ等を格納する。
【００１９】
ディスプレイ１５は、各種の情報を表示する。入力装置１６は、キーボードやマウス等であり、各種の入力を行うために使用される。
【００２０】
ネットワークインタフェース１７は、ネットワークに接続しネットワーク上の他の機器と通信するためのインタフェースである。
【００２１】
図３は、本実施形態にかかるプリンタ２の構成を示すブロック図である。図２に示すように、プリンタ２は、ＣＰＵ２１、ＲＯＭ２２、ＲＡＭ２３、操作パネル部２４、印刷部２５およびネットワークインタフェース２６を備えており、これらは信号をやり取りするためのバス２７を介して相互に接続されている。
【００２２】
操作パネル部２４は、表示パネル、固定キー、表示ランプ等で構成されており、各種の入力と表示を行うために使用される。
【００２３】
印刷部２５は、ビットマップデータに展開された印刷データを設定条件に従って印刷する。
【００２４】
ネットワーク３は、イーサネット（登録商標）、トークンリング、ＦＤＤＩ等の規格によりコンピュータやネットワーク機器同士を接続したＬＡＮや、ＬＡＮ同士を専用線で接続したＷＡＮ等からなる。
【００２５】
本実施形態にかかるプリントシステムでは、パソコン１とプリンタ２との間のデータ通信プロトコルとして、双方向通信が可能で、ジョブごとにセッションを確立することができ、ファイル内の任意の部分のデータを送信可能な所定のプロトコル、たとえば、Ｒａｗ（ＴＣＰ／ＩＰ  ９１００）、ＬＰＲ（Ｌｉｎｅ  Ｐｒｉｎｔｅｒ  Ｒｅｍｏｔｅ）、ＩＰＰ（Ｉｎｔｅｒｎｅｔ  Ｐｒｉｎｔｉｎｇ  Ｐｒｏｔｏｃｏｌ）等の各種プロトコルを使用することができる。ただし、独自のプロトコルが使用されてもよい。
【００２６】
つぎに、本実施形態における印刷システムの動作の概要を説明する。図４は、本実施形態におけるパソコン１のデフォルト設定プリントジョブ送信処理の手順を示すフローチャートである。なお、図４のフローチャートにより示されるアルゴリズムは、パソコン１のハードディスク１４に制御プログラムとして記憶されており、動作開始の際にＲＡＭ１３に読み出されてＣＰＵ１１によって実行される。
【００２７】
図４において、パソコン１は、まず、デフォルト設定プリントの開始命令があるまで待機する（Ｓ１０１のＮＯ）。ユーザによるデフォルト設定プリントの開始命令の入力は、例えばディスプレイ１５に表示したデフォルト設定プリントの初期画面からのマウス操作等により、またはキーボードからのコマンド入力により行われる。
【００２８】
パソコン１は、デフォルト設定プリントの開始命令の入力を受け付けると（Ｓ１０１のＹＥＳ）、次いでプリンタ２に設定しようとするデフォルト設定の内容の指定入力を受け付け、ＲＡＭ１３に記憶する（Ｓ１０２）。ユーザによるデフォルト設定の指定入力は、例えばディスプレイ１５に表示したデフォルト設定内容の指定画面からのマウス操作等により、またはキーボードからのコマンド入力により行われる。本実施形態におけるデフォルト設定の内容については後述する。
【００２９】
さらに、プリンタ２に印刷出力させるテストプリントデータの指定入力を受け付け、ＲＡＭ１３に記憶する（Ｓ１０３）。ここで、テストプリントデータは、プリンタ２にステップＳ１０２で指定したデフォルト設定で確認印刷を行わせるための画像データである。テストプリントデータには、文字、図形、写真、またはこれらが混在する画像データが用いられ、ユーザにより、例えばディスプレイ１５に表示したテストプリントデータの指定画面からのマウス操作等により、またはキーボードからのコマンド入力によって、ハードディスク１４の所定領域に記憶された画像データがテストプリントデータとして指定される。
【００３０】
なお、上述のデフォルト設定の指定（Ｓ１０２）およびテストプリントデータの指定（Ｓ１０３）の処理は、いずれの順序で処理されるものであっても構わない。
【００３１】
ついで、デフォルト設定の指定およびテストプリントデータの指定が終わると、デフォルト設定変更コマンドを付加したデフォルト設定プリントジョブを作成し、ＲＡＭ１３に記憶する（Ｓ１０４）。図５は、パソコン１が作成するデフォルト設定プリントジョブの一例を示す概念図である。図５に示すように、デフォルト設定プリントジョブ４は、ヘッダ部４１、画像データ部４２およびフッタ部４３から構成されている。ヘッダ部４１は、画像の解像度や用紙サイズ、カラー／モノクロ選択等の当該ジョブごとの印刷条件を含んでいるとともに、コマンド部４４を含んでいる。そして、コマンド部４４は、プリンタ２のデフォルト設定をステップＳ１０２で指定されたデフォルト設定に変更するデフォルト設定変更コマンドを含んでいる。
【００３２】
図６は、デフォルト設定プリントジョブ４に含まれるコマンド部４４の構成の一例を示す概念図である。図６に示すように、コマンド部４４は、８ビット構成となっており、最上位ビットのコマンド判定ビットと下位７ビットのコマンド構成ビットとからなる。コマンド判定ビットは、コマンド部４４に含まれるコマンドが有効であるか無効であるかを示すビットであり、コマンド判定ビットが「１」のときコマンドは有効と判定され、コマンド判定ビットが「０」のときコマンドは無効と判定される。
【００３３】
コマンド構成ビットは、デフォルト設定変更コマンドを構成するビットである。そして、パソコン１は、図７に示すようなデフォルト設定変更コマンドを登録したデフォルト設定テーブルをハードディスク１４に記憶している。図７において、デフォルト設定テーブル５には、ＯＥＭ先、デフォルト言語、ネットワーク設定、デフォルト用紙、デフォルト省電力モード時間設定、ＩＤ等のプリンタ２についての各種設定項目について、種々のデフォルト設定の組み合わせがデフォルト設定変更コマンドと対応させて予め登録されている。例えば、デフォルト設定コマンドがコマンド１、すなわちコマンド構成ビット「００００００１」の場合、ＯＥＭ先がＡ社、デフォルト言語は英語等のようなデフォルト設定の内容となる。パソコン１は、ステップＳ１０４においてデフォルト設定テーブル５をＲＡＭ１３上に読み出して、デフォルト設定の指定処理（Ｓ１０２）において指定されたデフォルト設定の内容に従って当該デフォルト設定にかかるコマンド構成ビットをデフォルト設定プリントジョブ４のヘッダ部４１のコマンド部４４に書き込む。
【００３４】
さらに、パソコン１は、ステップＳ１０４において、テストプリントデータの指定処理（Ｓ１０３）において指定されたテストプリントデータにかかる画像データを圧縮処理し、デフォルト設定プリントジョブ４の画像データ部４２とする。そして、プリントジョブ作成処理が終了すると、作成したデフォルト設定プリントジョブをネットワークインタフェース１７およびネットワーク３を介してプリンタ２に送信し（Ｓ１０５）、デフォルト設定プリントジョブ送信処理を終了する。
【００３５】
次に、本実施形態におけるプリンタ２の動作の概要について説明する。図８は、本実施形態におけるプリンタ２のデフォルト設定プリント処理の手順を示すフローチャートである。なお、図８のフローチャートにより示されるアルゴリズムは、プリンタ２のＲＯＭ２２に制御プログラムとして記憶されており、動作開始の際にＲＡＭ２３に読み出されてＣＰＵ２１によって実行される。
【００３６】
図８において、プリンタ２は、パソコン１からプリントジョブを受信するまで待機し（Ｓ２０１のＮＯ）、ネットワーク３およびネットワークインタフェース２６を介してパソコン１からプリントジョブを受信すると（Ｓ２０１のＹＥＳ）、受信したプリントジョブをＲＡＭ２３に保存する（Ｓ２０２）。
【００３７】
次いで、受信したプリントジョブのヘッダ部を解析し、デフォルト設定プリントにかかるものであるか否か、すなわちプリントジョブのコマンド部がデフォルト設定変更コマンドを有しているか否かを判断する（Ｓ２０３）。そして、受信したプリントジョブがデフォルト設定プリントにかかるものである場合には（Ｓ２０４のＹＥＳ）、コマンド部を解析してデフォルト設定変更コマンドを取得する（Ｓ２０５）。一方、プリンタ２のＲＯＭ２２にはパソコン１が所有しているものと同じ内容のデフォルト設定テーブルが記憶されており、これをＲＡＭ２３に読み出して、当該デフォルト設定テーブルに基づいて、ＲＡＭ２３に記憶されているプリンタ２のデフォルト設定をステップＳ２０５で取得したデフォルト設定変更コマンドにかかるデフォルト設定の内容に変更して更新する（Ｓ２０６）。
【００３８】
次に、ステップＳ２０６で更新したデフォルト設定の内容をテキスト化しラスタライズしてＲＡＭ２３に記憶し（Ｓ２０７）、これをステータスシートとして印刷出力する（Ｓ２０８）。図９は、プリンタ２により印刷される更新したデフォルト設定の内容が印刷されたステータスシートの一例を示す図である。図９に示すように、ステータスシート６には、パソコン１から受信したデフォルト設定プリントジョブにより変更されたプリンタ２のデフォルト設定の内容が印刷されている。これにより、ユーザは、デフォルト設定プリントジョブにより変更されたプリンタ２のデフォルト設定の内容を確認することができ、工場出荷時のデフォルト設定における設定ミス等をなくすことができる。
【００３９】
そして、プリンタ２は、デフォルト設定内容の印刷処理（Ｓ２０８）が終了すると、プリントジョブの圧縮された画像データ部を伸張してテストプリントデータにかかる画像データを取得してＲＡＭ２３に記憶し（Ｓ２０９）、ステップＳ２０６で更新したデフォルト設定に従ってテストプリントデータにかかる画像データを印刷出力して（Ｓ２１０）、デフォルト設定プリント処理を終了する。これにより、ユーザは、デフォルト設定の変更操作と同時に、変更されたデフォルト設定が有効となっており、変更されたデフォルト設定の内容どおりに印刷されるかどうかや、変更されたデフォルト設定の内容は適切であるかどうか等を実際の印刷物で確認することができるものである。
【００４０】
なお、デフォルト設定内容の印刷処理（Ｓ２０７およびＳ２０８）および画像データ部の印刷処理（Ｓ２０９およびＳ２１０）は、いずれの順序で処理されるものであっても構わない。
【００４１】
一方、ステップＳ２０４において、受信したプリントジョブがデフォルト設定プリントにかかるものでない場合には（Ｓ２０４のＮＯ）、通常の印刷処理に従ってプリントジョブの画像データ部を伸張処理して画像データを取得し（Ｓ２０９）、取得した画像データを印刷出力して（Ｓ２１０）、デフォルト設定プリント処理を終了する。
【００４２】
上記実施形態において、パソコン１の所有するデフォルト設定テーブルの設定項目やデフォルト設定変更コマンドとデフォルト設定の内容等は、予めユーザが任意に変更できる構成とすることができる。この場合、パソコン１の所有するデフォルト設定テーブルとプリンタ２の所有するデフォルト設定テーブルの内容は、所定の通信処理により所定のタイミングで同期させる構成とする。また、本発明においては、パソコン１は必ずしもデフォルト設定テーブルを有している必要はなく、パソコン１におけるデフォルト設定の指定処理（Ｓ１０２）において、ユーザがデフォルト設定コマンド（コマンド構成ビット）を直接入力指定する構成としても構わない。
【００４３】
上記実施形態では、パソコン１によるテストプリントデータの指定処理（Ｓ１０３）において、パソコン１がハードディスクに格納している画像データをテストプリントデータとして指定するものであったが、ネットワーク３上の他の機器に格納された画像データをテストプリントデータとして指定するものであってもよい。この場合、同ステップにおいてＵＲＬ等の当該画像データの所在情報が指定入力されるとともに、プリントジョブの作成処理（Ｓ１０４）において、当該他の機器からネットワーク３およびネットワークインタフェース１７を介して指定された画像データをダウンロードする構成とする。
【００４４】
また、上記実施形態では、パソコン１によるプリントジョブ作成処理（Ｓ１０４）において、テストプリントデータにかかる画像データを圧縮してそのままプリントジョブに含めるものであったが、画像データをページ記述言語に変換してプリントジョブに含めるものであってもよい。この場合、プリンタ２のデフォルト設定プリント処理においては、画像データ部の伸張処理（Ｓ２０９）の替わりにページ記述言語を解析して印刷データをラスタライズする処理が行われる。
【００４５】
上記実施形態では、パソコン１のデフォルト設定プリントジョブ送信処理の動作を制御するプログラムは、専用のアプリケーションソフトとしてパソコン１にインストールされ、デフォルト設定プリントジョブ送信処理時に起動されて実行されるものであったが、前記プログラムは、プリンタ２のプリンタドライバの機能の一部としてプリントドライバソフトに組み込まれ、テストプリントデータにかかる画像データの印刷処理の一部として起動され実行されるものであってもよい。
【００４６】
上記実施形態では、本発明にかかる印刷システムを、プリンタの通常工場出荷時の検査等におけるデフォルト設定およびテストプリントの作業を前提として説明したが、本発明の印刷システムの利用態様はこれに限定されるものではない。本発明を、例えばインクジェットプリンタ等のカラープリンタに適用した場合、カラー印刷条件等のデフォルト設定において、所定環境下において（例えば用紙の種別ごとに）印刷結果を確認しつつ調整してデフォルト設定を決定するような場合にも有用である。
【００４７】
上記実施形態では、本発明の印刷システムを、印刷データ送信装置としてパソコン、および印刷装置としてプリンタを例にして説明したが、本発明はこれに限定されるものではない。印刷データ送信装置としては、パソコン以外にも、ワークステーション、サーバ等のコンピュータ、携帯電話、ＰＨＳ（登録商標）、ＰＤＡ、電子手帳等の携帯端末、印刷ジョブ送信機能を有する多機能周辺機器（ＭＦＰ）等を用いてもよい。また、印刷装置としては、プリンタ以外にも、デジタル複写機、ファクシミリ装置等の印刷機能を有するＭＦＰであってもよい。
【００４８】
本発明による印刷ジョブ送信装置および印刷装置を構成する各手段は、専用のハードウエア回路によっても、また上述したようなプログラムされた印刷ジョブ送信装置および印刷装置によっても実現することができる。プログラムされた印刷ジョブ送信装置および印刷装置によって本発明を実現する場合、印刷ジョブ送信装置および印刷装置を動作させるプログラムは、フロッピー（登録商標）ディスクやＣＤ−ＲＯＭ等のコンピュータ読み取り可能な記録媒体によって提供されることができる。
【００４９】
上述した本発明の実施形態には、特許請求の範囲の請求項１〜５に記載した発明以外にも、以下の付記１〜１２に示すような発明が含まれる。
【００５０】
［付記１］  印刷装置と印刷ジョブ送信装置とが互いに通信可能に接続されてなる印刷システムであって、
前記印刷ジョブ送信装置は、
前記印刷装置のデフォルト設定を入力するデフォルト設定入力手段と、
前記印刷装置のデフォルト設定を前記デフォルト設定入力手段により入力されたデフォルト設定に変更するデフォルト設定変更コマンドを含む印刷ジョブを作成する印刷ジョブ作成手段と、
前記印刷装置に前記印刷ジョブを送信する印刷ジョブ送信手段とを有し、
前記印刷装置は、
印刷ジョブを受信する印刷ジョブ受信手段と、
前記印刷ジョブに含まれるコマンドを解析するコマンド解析手段と、
前記コマンドがデフォルト設定変更コマンドである場合に前記デフォルト設定変更コマンドに基づいてデフォルト設定を変更するデフォルト設定変更手段と、
前記印刷ジョブに含まれる印刷データを印刷する印刷手段とを有することを特徴とする、
印刷システム。
【００５１】
［付記２］  前記印刷装置は、前記印刷手段が前記デフォルト設定変更手段により変更されたデフォルト設定に従って前記印刷データを印刷することを特徴とする付記１に記載の印刷システム。
【００５２】
［付記３］  前記印刷装置は、前記印刷手段が前記デフォルト設定変更手段により変更されたデフォルト設定の内容を印刷することを特徴とする付記１または２に記載の印刷システム。
【００５３】
［付記４］  前記印刷ステップは、前記デフォルト設定変更ステップで変更されたデフォルト設定に従って前記印刷データを印刷することを特徴とする請求項５に記載の印刷方法。
【００５４】
［付記５］  前記印刷ステップは、前記デフォルト設定変更ステップで変更されたデフォルト設定の内容を印刷することを特徴とする請求項５または付記４に記載の印刷方法。
【００５５】
［付記６］  印刷装置のデフォルト設定を入力するデフォルト設定入力ステップと、
前記印刷装置のデフォルト設定を前記デフォルト設定入力ステップで入力されたデフォルト設定に変更するデフォルト設定変更コマンドを含む印刷ジョブを作成する印刷ジョブ作成ステップと、
前記印刷装置に前記印刷ジョブを送信する印刷ジョブ送信ステップと、
を有することを特徴とする印刷ジョブ送信方法。
【００５６】
［付記７］  印刷ジョブを受信する印刷ジョブ受信ステップと、
前記印刷ジョブに含まれるコマンドを解析するコマンド解析ステップと、
前記コマンドがデフォルト設定変更コマンドである場合に前記デフォルト設定変更コマンドに基づいてデフォルト設定を変更するデフォルト設定変更ステップと、
前記印刷ジョブに含まれる印刷データを印刷する印刷ステップと、
を印刷装置に実行させることを特徴とする印刷プログラム。
【００５７】
［付記８］  前記印刷ステップは、前記デフォルト設定変更ステップで変更されたデフォルト設定に従って前記印刷データを印刷することを特徴とする付記７に記載の印刷プログラム。
【００５８】
［付記９］  前記印刷ステップは、前記デフォルト設定変更ステップで変更されたデフォルト設定の内容を印刷することを特徴とする付記７または８に記載の印刷プログラム。
【００５９】
［付記１０］  印刷装置のデフォルト設定を入力するデフォルト設定入力ステップと、
前記印刷装置のデフォルト設定を前記デフォルト設定入力ステップで入力されたデフォルト設定に変更するデフォルト設定変更コマンドを含む印刷ジョブを作成する印刷ジョブ作成ステップと、
前記印刷装置に前記印刷ジョブを送信する印刷ジョブ送信ステップと、
を印刷ジョブ送信装置に実行させることを特徴とする印刷ジョブ送信プログラム。
【００６０】
［付記１１］  付記７〜９のいずれか１つに記載の印刷プログラムを記録したコンピュータ読み取り可能な記録媒体。
【００６１】
［付記１２］  付記１０に記載の印刷ジョブ送信プログラムを記録したコンピュータ読み取り可能な記録媒体。
【００６２】
【発明の効果】
上述したように、本発明の印刷システムによれば、印刷ジョブ送信装置からの一つの印刷ジョブの送信により、印刷装置のデフォルト設定操作とテストプリントとを同時に実行することができるので、デフォルト設定およびテストプリントの作業効率が飛躍的に改善される。
【００６３】
また、本発明の印刷システムによれば、印刷ジョブ送信装置からの一つの印刷ジョブの送信により、印刷装置のデフォルト設定操作と操作後のデフォルト設定の内容確認とを同時に実行することができるので、設定操作ミス等によるデフォルト設定間違いの発生を有効に防止することができる。
【図面の簡単な説明】
【図１】本発明の実施形態にかかる印刷データ送信装置および印刷装置が適用された印刷システムの全体構成を示すブロック図である。
【図２】図１におけるパソコン１の構成を示すブロック図である。
【図３】図１におけるプリンタ２の構成を示すブロック図である。
【図４】パソコン１のデフォルト設定プリントジョブ送信処理の手順を示すフローチャートである。
【図５】パソコン１が作成するデフォルト設定プリントジョブの一例を示す概念図である。
【図６】図５におけるデフォルト設定プリントジョブ４に含まれるコマンド部４４の構成の一例を示す概念図である。
【図７】パソコン１の有するプリンタデフォルト設定変更コマンドを登録したデフォルト設定テーブルの一例を示す概念図である。
【図８】プリンタ２のデフォルト設定プリント処理の手順を示すフローチャートである。
【図９】プリンタ２により印刷される更新したデフォルト設定の内容が印刷されたステータスシートの一例を示す図である。
【符号の説明】
１…パソコン、
２…プリンタ、
３…ネットワーク、
１１，２１…ＣＰＵ、
１２，２２…ＲＯＭ、
１３，２３…ＲＡＭ、
１４…ハードディスク、
１５…ディスプレイ、
１６…入力装置、
１７，２６…ネットワークインタフェース、
１８，２７…バス、
２４…操作パネル部、
２５…印刷部。
【図１】
2004358911.tif 000003
【図２】
2004358911.tif 000004
【図３】
2004358911.tif 000005
【図４】
2004358911.tif 000006
【図５】
2004358911.tif 000007
【図６】
2004358911.tif 000008
【図７】
2004358911.tif 000009
【図８】
2004358911.tif 000010
【図９】
2004358911.tif 000011